(57)【要約】【課題】長時間にわたって良好な光束が得られる電球形蛍光ランプを提供する。【解決手段】発光管２、この発光管２を点灯させる点灯回路３、内部に点灯回路３を収容する基体４、及び、透光性を有するグローブ５を備える。基体４は、一端側に口金４ａを有するとともに、他端側に発光管２を保持するホルダ４ｂを有する。グローブ５は、発光管２を覆うように基体４に取付けられる。グローブ５は、紫外線を吸収可能な樹脂により形成されている。【選択図】      図１
2005174637.tif 000002
【特許請求の範囲】
【請求項１】
発光管と、
この発光管を点灯させる点灯回路と、
一端側に口金を有するとともに、他端側に前記発光管を保持する保持部を有し、内部に前記点灯回路を収容する基体と、
透光性を有し、前記発光管を覆うように前記基体に取付けられたグローブとを具備し、
前記グローブの本体部分は、紫外線を吸収可能な樹脂により形成されていることを特徴とする電球形蛍光ランプ。
【請求項２】
前記グローブの本体部分を形成する樹脂は、炭酸エステル類からなる第１の単量体と、紫外線吸収機能を有する第２の単量体とを含んでなる共重合体であることを特徴とする請求項１に記載の電球形蛍光ランプ。
【請求項３】
請求項１又は２に記載の電球形蛍光ランプと、
この電球形蛍光ランプが装着される器具本体と、を具備していることを特徴とする照明器具。
【請求項４】
器具本体と、
この器具本体に装着される蛍光ランプと、
透光性を有し、前記蛍光ランプを覆うように前記器具本体に取付けられたカバーと、を具備し、
前記カバーの本体部分は、紫外線を吸収可能な樹脂により形成されていることを特徴とする照明器具。
【請求項５】
前記カバーの本体部分を形成する樹脂は、炭酸エステル類からなる第１の単量体と、紫外線吸収機能を有する第２の単量体とを含んでなる共重合体であることを特徴とする請求項４に記載の照明器具。
【発明の詳細な説明】
【技術分野】
【０００１】
本発明は、電球形蛍光ランプ、及び照明器具に関する。
【背景技術】
【０００２】
車両等のヘッドランプとしては、ポリカーボネートからなる前面カバーを備えたものがある。ところが、ポリカーボネートからなる前面カバーは、太陽光や光源からの光に含まれる紫外線により黄変し易いという問題がある。このような紫外線による黄変を抑制するために、前面カバーとしては、紫外線吸収剤を含むポリカーボネートで形成されたものが知られている。また、前面カバーとしては、この他に、紫外線吸収剤を含む熱可塑性のポリエステル系樹脂の成形体からなり、且つ、紫外線吸収剤が官能性のヒドロキシル基、カルボキシル基、アミノ基のいずれか一種又は二種以上を持つ一官能又は二官能以上の化合物で、ポリエステル系樹脂のポリマー分子と結合したものを用いたものがある。
【特許文献１】特開２０００−２２２９１２号公報（段落０００２〜段落００４０、図１）
【発明の開示】
【発明が解決しようとする課題】
【０００３】
ところで、電球形蛍光ランプが備えるグローブや照明器具が備えるカバーは、従来、その多くがポリカーボネートで形成されている。したがって、電球形蛍光ランプが備えるグローブや照明器具が備えるカバーもまた、光源である発光管から出射される光や太陽光に含まれる紫外線により劣化し、黄色味を帯びるように変色する。そのため、電球形蛍光ランプや照明器具の分野では、時間とともにグローブやカバーを透過する光の量（光束）が低下するという問題があり、その改善が求められている。
【０００４】
本発明は、このような事情にもとづいてなされたもので、長時間にわたって良好な光束が得られる電球形蛍光ランプ、及び照明器具の提供を目的とする。
【課題を解決するための手段】
【０００５】
請求項１に記載の電球形蛍光ランプは、発光管と、この発光管を点灯させる点灯回路と、一端側に口金を有するとともに、他端側に前記発光管を保持する保持部を有し、内部に前記点灯回路を収容する基体と、透光性を有し、前記発光管を覆うように前記基体に取付けられたグローブとを具備し、前記グローブの本体部分は、紫外線を吸収可能な樹脂により形成されている。
【０００６】
請求項２に記載の電球形蛍光ランプは、グローブの本体部分を形成する樹脂が、炭酸エステル類からなる第１の単量体（第１のモノマー）と、紫外線吸収機能を有する第２の単量体（第２のモノマー）とを含んでなる共重合体である。
【０００７】
これらの発明及び以下の各発明において、特に指定しない限り用語の定義及び技術的意味は以下の通りである。
【０００８】
発光管は、例えば、ガラスや透光性気密容器を形成可能なセラミックス等で形成することができる。発光管は、直管、環状管、或いは屈曲管を含んで構成したもの等、周知の構成が適用可能である。もちろん、発光管は、複数のＵ字状の屈曲管の端部同士を連通管を介してつなぎ合わせることで内部に少なくとも１本の放電路が形成されるように構成することも可能である。Ｕ字状の屈曲管とは、直管部と曲管部とを有し、放電路が折り返されて放電が屈曲するように屈曲管が形成されていることを意味する。曲管部は、湾曲状または円弧状に形成されたものに限定されず、角形状や尖鋭状に形成されたものも含む。要するに、放電路が屈曲するように直管部の一端部同士を連続させて形成したバルブを意味する。また、屈曲管は、略平行な２本の直管部の一端部同士を吹き破り等によって形成された連通管によって接続したものや、スパイラル状に形成したものであってもよい。
【０００９】
発光管の内部に封入される放電媒体としては、アルゴン、ネオン、クリプトン、キセノン等の不活性ガスや、水銀等を用いることができる。発光管内の放電媒体（封入ガス）中で放電を生起させる放電生起手段としては、放電路を形成する発光管の両端部に対向して封装された一対の電極を用いるのが一般的であるが、発光管の外部に配置された少なくとも一方の電極を放電生起手段としても構わない。発光管の内面には、蛍光体膜を塗布してもよい。
【００１０】
グローブの本体部分は、紫外線を吸収可能な樹脂により形成されている。「紫外線を吸収可能な樹脂」とは、樹脂に紫外線吸収剤を含有させたものではなく、その樹脂自体が紫外線を吸収することが可能なものを指している。すなわち、「紫外線を吸収可能な樹脂」とは、例えば、主鎖或いは側鎖に、紫外線を吸収して励起状態となるような部分（官能基等）を有する樹脂を指している。
【００１１】
紫外線を吸収可能な樹脂としては、例えば、エステル類からなる第１の単量体Ｍと、紫外線吸収機能を有する第２の単量体Ｍ’とを含んでなる共重合体を挙げることができる。
【００１２】
ところで、炭酸エステル類を単量体としてなる樹脂は、ポリ炭酸エステル（ポリカーボネート）として知られており、透光性を有しているとともに耐衝撃性に優れていることから、グローブを形成する樹脂として好適である。すなわち、炭酸エステル類からなる第１の単量体Ｍと、紫外線吸収機能を有する第２の単量体Ｍ’とを含んでなる共重合体は、ポリ炭酸エステルのようにグローブを形成する樹脂として好適でありながら、紫外線吸収機能を有している。
【００１３】
なお、ポリ炭酸エステルは、主鎖中に炭酸エステル結合、
−Ｏ−Ｒ−Ｏ−ＣＯ−  （Ｒはアルキル基）
を有しているが、Ｒが脂肪酸であると低融点となり易く、Ｒがジフェニルアルカンからのものであると比較的高融点となることが知られている。
【００１４】
したがって、紫外線を吸収可能な樹脂としては、例えば、
【化１】
2005174637.tif 000003
【００１５】
（Ｒ’，Ｒ’’はアルキル基）
となるようなものを採用するのが好ましい。
【００１６】
また、第２の単量体Ｍ’としては、２−（２’−ヒドロキシ−３’,５’−ジ−３’,５’−tert−ペンチルフェニル）ベンゾトリアゾール、２−ヒドロキシ−４−ドデシルオキシベンゾフェノン、２，４−ジ−tert−ブチルフェニル（４’−ヒドロキシ−３’，５’−ジ−tert−ブチルベンゾエート）、フェニルサリシレート系化合物、２−ヒドロキシベンゾフェノン系化合物、又はベンゾトリアゾール系化合物等を採用することにより、紫外線を吸収可能な樹脂を得ることができると期待される。
【００１７】
また、グローブは、紫外線を吸収可能な樹脂のみにより形成されたものに限定されない。グローブは、紫外線を吸収可能な樹脂により形成されたグローブの本体部分と機能部材（機能フィルム）との多層体としてもよい。したがって、グローブは、例えば、紫外線を吸収可能な樹脂からなるグローブの本体部分に拡散膜等の別部材を組み合わせ、輝度の均一性を向上させるようにしてもよい。
【００１８】
請求項１及び請求項２に記載の電球形蛍光ランプによれば、グローブが紫外線を吸収可能な樹脂により形成されているため、グローブが紫外線により劣化し難い。したがって、長時間にわたって良好な光束を得ることができる。
【００１９】
請求項３に記載の照明器具は、請求項１又は２に記載の電球形蛍光ランプと、この電球形蛍光ランプが装着される器具本体と、を具備している。
【００２０】
器具本体としては、蛍光ランプの規格、形状、寸法、用途などに応じて、一般的に使用されている器具本体の中から選ぶことができる。器具本体としては、例えば、ダウンライト等の埋込器具や直付器具等の器具本体を用いてもよい。また、器具本体としては、既設の照明器具の器具本体を用いてもよい。
【００２１】
請求項３に記載の照明器具によれば、長時間にわたって良好な光束を得ることができる。
【００２２】
請求項４に記載の照明器具は、器具本体と、この器具本体に装着される蛍光ランプと、透光性を有し、前記蛍光ランプを覆うように前記器具本体に取付けられたカバーと、を具備し、前記カバーの本体部分は、紫外線を吸収可能な樹脂により形成されている。
【００２３】
本発明は、室内用の照明器具に限定されるものではなく、例えば、道路等の屋外に設置される屋外用照明器具にも適用することができる。
【００２４】
蛍光ランプとしては、例えば、直管形蛍光ランプ、環状蛍光ランプ、屈曲管を備える蛍光ランプ等、一般的に使用されている蛍光ランプの中から選ぶことができる。また、器具本体は、蛍光ランプの規格、形状、寸法、用途などに応じて、一般的に使用されている器具本体の中から選ぶことができる。
【００２５】
カバーは、紫外線を吸収可能な樹脂により形成されている。「紫外線を吸収可能な樹脂」とは、上述した通りである。また、カバーは、蛍光ランプを覆った状態で器具本体に取付けられるものであって、セードやグローブ等を含む。
【００２６】
さらに、カバーは、紫外線を吸収可能な樹脂のみにより形成されたものに限定されない。カバーは、紫外線を吸収可能な樹脂により形成されたカバーの本体部分と機能部材（機能フィルム）との多層体としてもよい。したがって、カバーは、例えば、紫外線を吸収可能な樹脂からなるカバーの本体部分に拡散膜等の別部材を組み合わせ、輝度の均一性を向上させるようにしてもよい。
【００２７】
請求項５に記載の照明器具は、前記カバーの本体部分を形成する樹脂は、炭酸エステル類からなる第１の単量体と、紫外線吸収機能を有する第２の単量体とを含んでなる共重合体である。
【００２８】
炭酸エステル類からなる第１の単量体Ｍと、紫外線吸収機能を有する第２の単量体Ｍ’とを含んでなる共重合体とは、上述した通りである。
【００２９】
請求項４及び請求項５に記載の照明器具によれば、カバーが紫外線を吸収可能な樹脂により形成されているため、カバーが紫外線により劣化し難い。したがって、長時間にわたって良好な光束を得ることができる。
【発明の効果】
【００３０】
本発明によれば、長時間にわたって良好な光束が得られる電球形蛍光ランプ、及び照明器具が得られる。
【発明を実施するための最良の形態】
【００３１】
以下、本発明の第１の実施形態を、図１乃至図３を参照して説明する。本発明は、電球形蛍光ランプ１と、この電球形蛍光ランプ１を備えた照明器具３０について説明する。
【００３２】
図１に示すように、電球形蛍光ランプ１は、トリプルＵ形の発光管２、基板３ａ及び電子部品３ｂを有する点灯回路３、口金４ａ及び保持部としてのホルダ４ｂを有する基体４、及び、グローブ５等を備えている。基体４とグローブ５とから構成される外囲器６は、定格電力が４０Ｗ形相当の白熱電球等の一般照明用電球の規格寸法に近似する外形に形成されている。すなわち、口金４ａを含む高さＨ１は１１０〜１２５[ｍｍ]程度、直径すなわちグローブ５の外径Ｄ１が５０〜６０[ｍｍ]程度、基体４の外径Ｄ２が４０[ｍｍ]程度に形成されている。なお、一般照明用電球とは、ＪＩＳ Ｃ ７５０１で規格化されているものである。
【００３３】
図２に示すように、発光管２は、外形が略同形状の複数本例えば３本の屈曲管１０ａ，１０ｂ，１０ｃを備えている。これら屈曲管１０ａ，１０ｂ，１０ｃを所定の位置に配置し、連通管１１を介して順次連結することによって、１本の放電路が形成されている。これら屈曲管１０ａ，１０ｂ，１０ｃは、互いに略平行な一対の直管部１２及びこれら直管部１２の一端同士を連続させる曲管部１３を有して略Ｕ字状に形成されている。これら屈曲管１０ａ，１０ｂ，１０ｃは、各直管部１２が円周上に位置するように配設されているため、各曲管部１３が三角形状をなすトリプルＵ形に形成されている。なお、発光管２は、４つの屈曲管を使用し、これら屈曲管の各曲管部１３が四角形状をなすように形成してもよい。また、発光管２の内面には、三波長発光形の蛍光体からなる蛍光体膜（図示せず）が設けられている。
【００３４】
各屈曲管１０ａ，１０ｂ，１０ｃは、例えば、管外径が９．０〜１３[ｍｍ]、肉厚が０．５〜１．５[ｍｍ]の無鉛ガラス管からなる。各屈曲管１０ａ，１０ｂ，１０ｃは、１１０〜１３０[ｍｍ]程度の直管状のガラス管の中間部を滑らかに屈曲させることで形成されている。なお、曲管部１３は、直管状のガラス管の中間部を加熱して屈曲させた後、屈曲箇所を成形型に入れ、その内部を加圧することによって、所望形状に成形することが可能である。発光管２の放電路長は２５０〜５００[ｍｍ]の範囲とし、ランプ入力電力は８〜２５[Ｗ]とするのが好ましい。このようにすることにより、白熱電球形状に近似した電球形蛍光ランプ１が得られる。
【００３５】
各屈曲管１０ａ，１０ｂ，１０ｃの一端部は、ピンチシール等により封着されている。各屈曲管１０ａ，１０ｂ，１０ｃの他端部には、管外径２〜５[ｍｍ]、管内径１．２〜４．２[ｍｍ]の中空の細管１４がピンチシール等によってこの端部から突出するように封着されている。中間に配置される屈曲管１０ｂの細管１４はダミーである。一側に配置される屈曲管１０ａの細管１４は発光管２中の排気を行なうためのものである。他側に配置される屈曲管１０ｃの細管１４の内部には主アマルガム１５が封入されている。主アマルガム１５としては、例えば、ビスマス（Ｂｉ）が５０〜６０重量％、錫（Ｓｎ）が３５〜５０重量％からなる合金板に水銀を１２〜２５重量％含有させたものを用いることができる。
【００３６】
発光管２の一側に位置する屈曲管１０ａの連通管１１側ではない端部には、電極としてのフィラメントコイル１６が一対のウエルズ１７に支持された状態で封止されている。これらウエルズ１７は、この屈曲管１０ａの連通管１１側ではない端部にマウントを用いないピンチシール等により封着されたジュメット線（図示せず）を介して、発光管２から導出される一対のワイヤー１８に夫々接続されている。同様に、発光管２の他側に位置する屈曲管１０ｃの連通管１１側ではない端部には、電極としてのフィラメントコイル１６が一対のウエルズ１７に支持された状態で封止されている。これらウエルズ１７は、この屈曲管１０ｃの連通管１１側ではない端部にマウントを用いないピンチシール等により封着されたジュメット線（図示せず）を介して、発光管２から導出される一対のワイヤー１８に夫々接続されている。発光管２から導出された２対のワイヤー１８は、点灯回路３に電気的に接続されている。
【００３７】
屈曲管１０ａ，１０ｂ，１０ｃ内には、補助アマルガム１９ａ，１９ｂ，１９ｃが設けられている。中間の屈曲管１０ｂに設けられた補助アマルガム１９ｂは、ピンチシール等により封着されたウエルズ２０に取付けられている。この補助アマルガム１９ｂは、放電路の略中間に配置されている。一端の屈曲管１０ａに設けられた補助アマルガム１９ａは、一対のウエルズ１７のうちの一方に取付けられている。他端の屈曲管１０ｃに設けられた補助アマルガム１９ｃもまた、一対のウエルズ１７のうちの一方に取付けられている。これら補助アマルガム１９ａ，１９ｂ，１９ｃとしては、ステンレス板に金を主成分とする金属をメッキしたものを用いることができる。
【００３８】
この実施形態では、発光管２は、屈曲管１０ａ，１０ｂ，１０ｃの高さＨ２が５０〜６０[ｍｍ]、放電路長が２００〜３５０[ｍｍ]、屈曲管１０ａ，１０ｂ，１０ｃの並設方向の最大幅Ｄ３が３２〜４３[ｍｍ]に形成されている。また、この発光管２には、放電媒体として水銀が封入されている。
【００３９】
以下、口金４ａ側を上側、グローブ５側を下側として説明する。  
図１に示すように、基体４は、本体部４ｃ、口金４ａ、及びホルダ４ｂを備えている。本体部４ｃは、ポリブチレンテレフタレート（ＰＢＴ）等の耐熱性合成樹脂等により形成されている。本体部４ｃは、下側に向かって拡開する略円筒状をなしている。本体部４ｃの内部は、点灯回路３を収容する空間となる。本体部４ｃの上端側には、Ｅ２６型等の口金４ａが被せられ、接着剤またはかしめ等により固定されている。なお、口金４ａは、本体部４ｃに直接装着される必要はなく、間接的に装着されるものや、本体部４ｃの一部が口金４ａを構成するものであってもよい。
【００４０】
本体部４ｃの下端側には、発光管２を支持するホルダ４ｂが設けられている。ホルダ４ｂは、発光管固定部材として機能するとともに、点灯回路固定部材としても機能する。ホルダ４ｂは、発光管２の端部が挿通可能な発光管挿通部４ｄを有している。発光管２は、このホルダ４ｂに支持されている。また、ホルダ４ｂには、点灯回路３の基板３ａが嵌合手段（図示せず）により取付けられている。このホルダ４ｂは、本体部４ｃの下側の開口を覆うようにこの本体部４ｃに装着されている。これにより、点灯回路３は、本体部４ｃの内部に収容される。なお、本体部４ｃとホルダ４ｂとは別体に形成するのが好ましいが、一体構造であっても構わない。
【００４１】
点灯回路３は、口金４ａの中心Ｏを通る軸線Ｌに対して略垂直に配置される基板３ａ、及びこの基板３ａに実装された複数の電子部品３ｂを有して、高周波点灯を行なうインバータ回路（高周波点灯回路）を構成している。この点灯回路３は、電子部品３ｂの大部分が口金４ａ側に配置されるように基板３ａが装着されている。この点灯回路３は、口金４ａ及び発光管２と電気的に接続され、口金４ａを介して給電されることにより動作し、フィラメントコイル１６に高周波電力を入力させて、発光管２を点灯させる。点灯回路３は、平滑用電解コンデンサを備えるものが一般的であるが、これに限定されない。
【００４２】
基板３ａは、略円板状に形成されている。基板３ａの口金４ａ側の一面には、平滑用電解コンデンサ、インダクタ、トランス、抵抗やフィルムコンデンサ等からなる電子部品３ｂの大部分が実装されている。基板３ａの発光管２側の他面には、電界効果型トランジスタ（ＦＥＴ）、整流ダイオード（ＲＥＣ）、或いは、チップ抵抗等が実装されている。この点灯回路３は、例えば、７〜１５Ｗのランプ電力により発光管２を点灯させるように構成されている。
【００４３】
グローブ５は、透明或いは光拡散性を有する乳白色等であって透光性を有している。グローブ５は、一般照明電球のガラス球と略同形状の滑らかな曲面状に形成されており、上端側には開口部５ａが設けられている。このグローブ５は、開口部５ａから発光管２を内部に挿入させ、発光管２を覆った状態で開口部５ａを基体４の下端側に嵌合させることで、基体４に取付けられている。
【００４４】
グローブ５は、紫外線を吸収可能な樹脂により形成されている。具体的には、グローブ５を形成する樹脂は、炭酸エステル類からなる第１の単量体と、紫外線吸収機能を有する第２の単量体とを含んでなる共重合体である。このような樹脂としては、ＧＥプラスチックス社製、レキサン（Ｌｅｘａｎ、登録商標）ＥＸＬ−ＳＬＸを用いることができる。以下、Ｌｅｘａｎ  ＥＸＬ−ＳＬＸの構造を示す。
【化２】
2005174637.tif 000004
【００４５】
本実施形態の電球形蛍光ランプ１は入力電力規格１３[Ｗ]で、発光管２には１２[Ｗ]の電力の高周波で加わり、ランプ電流は２００[ｍＡ]、ランプ電圧は８０[Ｖ]となっている。
【００４６】
以下、紫外線がグローブに与える影響について、以下のような実験を行った。表１は、グローブへの水銀灯の照射時間と、波長４２０ｎｍ及び波長４５０ｎｍの光のグローブに対する直線透過率との関係を示している。
【表１】
2005174637.tif 000005
【００４７】
試験条件は、以下の通りである。  
水銀灯：４００Ｗ
温度：１００℃
試料Ａ：本実施形態の電球形蛍光ランプが備えるグローブ、厚さ２ｍｍ
試料Ｂ（比較例、従来品）：ポリ炭酸エステルに紫外線吸収剤を添加してなる樹脂によって形成したグローブ、厚さ２ｍｍ
試料Ｃ（比較例、従来品）：ポリ炭酸エステルによって形成されたグローブ、厚さ２ｍｍ
なお、試料Ｂ及び試料Ｃは、ポリ炭酸エステルとして、以下の構造のポリ炭酸エステルを用いている。
【化３】
2005174637.tif 000006
【００４８】
上記表１に示すように、試料Ｃでは、水銀ランプを１４時間照射した後の透過率の減少率は、４５０ｎｍの光で２５．８％、４２０ｎｍの光で５０．５％であった。つまり、試料Ｃに水銀ランプを１４時間照射すると、４５０ｎｍの光では透過率が約３／４にまで低下し、４２０ｎｍの光では透過率が約１／２にまで減少してしまうことがわかった。また、紫外線吸収剤を添加した試料Ｂであっても、水銀ランプを１４時間照射すると、透過率は、４５０ｎｍの光で１６．８％、４２０ｎｍの光で３２．９％減少してしまう。これに対し、試料Ａでは、水銀ランプを１４時間照射した後の透過率の減少率は、４５０ｎｍの光で１２．５％、４２０ｎｍの光で２０．６％であり、試料Ｃや試料Ｂと比べて、透過率の減少率を抑制できることがわかった。
【００４９】
このように、本実施形態の電球形蛍光ランプ１が備えるグローブ５は、ポリ炭酸エステルによって形成されたグローブや、これに紫外線吸収剤を添加してなるグローブと比べて、紫外線を照射されても、透過率の減少を抑制することができることがわかった。したがって、長時間にわたって良好な光束が得られる。また、グローブの黄変を抑制できるので、長時間良好な外観を保たせることができることがわかった。
【００５０】
以上のように、本実施形態の電球形蛍光ランプ１によれば、グローブ５が紫外線を吸収可能な樹脂により形成されているため、長時間にわたって良好な光束を得ることができる。また、グローブ５の黄変を抑制できるので、長時間良好な外観を保たせることができる。さらに、グローブ５は、劣化（黄変）し難いので、使用状況や使用年月等によってはマテリアルリサイクルが可能である。
【００５１】
上述した電球形蛍光ランプ１は、照明器具３０に適用することができる。図３は、上記電球形蛍光ランプ１を備えた照明器具３０を例示している。この照明器具３０は、天井Ｘに埋め込まれたダウンライトであり、器具本体３１に取付けられたソケット３２に蛍光ランプが取付けられている。
【００５２】
上述のように規定された電球形蛍光ランプ１を一般照明用電球の照明器具３０に用いた場合、蛍光ランプの配光が一般照明用電球の配光と近似させることで、器具本体３１内に配設されたソケット３２近傍の反射体への光照射量が十分に確保され、反射体の光学設計どおりの機器特性を得ることができる。
【００５３】
なお、電球形蛍光ランプ１は、電球スタンドのように内部光源のイメージが布製等の光拡散性カバーに映し出されるような照明器具にも適用することができる。この場合、電球形蛍光ランプ１の配光を一般照明用電球の配光と近似させることで違和感なく使用できる。
【００５４】
以下、本発明の第２の実施形態を、図４を参照して説明する。図４は、紫外線を吸収可能な樹脂からなるカバー４３を備えた照明器具４０を例示している。この照明器具４０は、道路や公園等の屋外に配置される照明器具であり、電柱Ｐ等に取付けられるように形成されている。
【００５５】
この照明器具４０は、器具本体４１、この器具本体４１に装着される蛍光ランプ４２、蛍光ランプ４２を覆った状態で器具本体４１に取付けられた透光性を有するカバー４３、及び、反射板４４等が備えられている。
【００５６】
器具本体４１は、下側に開口部４１ａを有している。器具本体４１の先端部には、ヒンジ受け部４５が設けられている。器具本体４１の基端部には、ねじ受け部４６が設けられている。ねじ受け部４６の上方には、この照明器具４０を電柱Ｐに取付けるための取付け部４７が設けられている。
【００５７】
カバー４３は、透明或いは光拡散性を有する乳白色等であって透光性を有している。カバー４３の先端部には、ヒンジ受け部４５に導かれるヒンジ部４８が設けられている。カバー４３の基端部には、ねじ孔を有する張り出し部４９が設けられている。なお、光の横方向への出射角度を広げるため、カバー４３の内面に複数のプリズム５０を長手方向に沿って互いに平行に並べて形成してもよい。
【００５８】
カバー４３は、ヒンジ部４８をヒンジ受け部４５と対応させ、ヒンジ部４８及びヒンジ受け部４５にヒンジ金具５１を貫通させることで、器具本体４１に取付けられている。したがって、カバー４３は、器具本体４１の開口部４１ａを覆う閉じ位置と、器具本体４１の内部を露出させる開き位置との間で回動する。通常使用時には、ねじ５２をカバー４３のねじ孔に貫通させるとともに、器具本体４１のねじ受け部４６にねじ込むことによって、カバー４３は上記閉じ位置に固定されている。また、メンテナンス時には、ねじ５２を外すことにより、カバー４３は上記開き位置に回動させることができる。
【００５９】
器具本体４１の内部には、安定器５３が収容されている。安定器５３の下側には、安定器５３を下側から覆う安定器カバー５４が設けられている。安定器カバー５４の先端部には、ランプソケット５５が取付けられており、このランプソケット５５に蛍光ランプ４２が取付けられている。したがって、安定器カバー５４及び蛍光ランプ４２は、器具本体４１の開口部４１ａよりも下側に配置されることとなる。なお、図では、トリプルＵ形の発光管を備える蛍光ランプ４２を記載しているが、蛍光ランプ４２はこれに限定されない。
【００６０】
また、器具本体４１の内部には、フォトスイッチ（図示せず）が収容されている。そのため、この照明器具４０では、外部が所定の明るさ以上であると、フォトスイッチにより蛍光ランプ４２はオフされ、外部が所定の明るさ未満となると、フォトスイッチにより蛍光ランプ４２がオンされる。さらに、器具本体４１の内面には、反射板４４が設けられている。蛍光ランプ４２から出射されて上側に進んだ光は、この反射板４４により下側に向けて反射される。
【００６１】
カバー４３は、紫外線を吸収可能な樹脂により形成されている。具体的には、カバー４３を形成する樹脂は、炭酸エステル類からなる第１の単量体と、紫外線吸収機能を有する第２の単量体とを含んでなる共重合体である。このような樹脂としては、ＧＥプラスチックス社製、レキサン（Ｌｅｘａｎ、登録商標）ＥＸＬ−ＳＬＸを用いることができる。ＥＸＬ−ＳＬＸの構造式は、第１の実施形態で示したとおりである。
【００６２】
上述のように、本実施形態の照明器具４０によれば、カバー４３が紫外線を吸収可能な樹脂により形成されているため、紫外線による透過率の減少を抑制することができる。したがって、太陽光が照射される屋外で使用しても、長時間にわたって良好な光束を得ることができる。また、カバー４３の黄変を抑制できるので、長時間良好な外観を保たせることができる。さらに、カバー４３は、劣化（黄変）し難いので、使用状況や使用年月等によってはマテリアルリサイクルが可能である。
【００６３】
以下、本発明の第３の実施形態を、図５を参照して説明する。図５は、紫外線を吸収可能な樹脂からなるカバーとしてのセード６３を備えた第２の実施形態の照明器具４０とは別の照明器具６０を例示している。
【００６４】
この照明器具６０は、室内に配置される照明器具６０であり、例えば、２つの環状蛍光ランプ６２を備えている。この照明器具６０は、天井等に取付けて使用する。
【００６５】
この照明器具６０は、器具本体６１、この器具本体６１に装着される蛍光ランプ６２、及び、蛍光ランプ６２を覆った状態で器具本体６１に取付けられた透光性を有するセード６３等が備えられている。
【００６６】
器具本体６１は、天井Ｔ（天板の下面）に取付けられるように形成されている。器具本体６１は、円板状や円錐台形状に形成されており、その下面には、一対のソケット６４ａ，６４ｂ及び一対のランプホルダ６５ａ，６５ｂが突設されている。ソケット６４ａ，６４ｂは、蛍光ランプ６２が備える口金６２ａの外周に嵌合して保持するＣ字状のホルダ部６６と、前記口金６２ａに設けられた口金ピン６２ｂが挿入されることで電気的に接続されるソケット部６７とを有している。ランプホルダ６５ａ，６５ｂは、上記ホルダ部６６と略同形状（Ｃ字状）に形成されている。
【００６７】
一方のソケット６４ａと一方のランプホルダ６５ａとが、器具本体６１の中心に対して互いに対称に配置されているとともに、他方のソケット６４ｂと他方のランプホルダ６５ｂとが、器具本体６１の中心に対して互いに対照に配置されている。また、２つの環状蛍光ランプ６２が互いに異なる高さに配置されるように、内側に配置されるソケット６４ａが外側に配置されるソケット６４ａよりも下側に突出している。また、内側に配置されるランプホルダ６５ａが外側に配置されるランプホルダ６５ａよりも下側に突出している。各環状蛍光ランプ６２は、ソケット６４ａ，６４ｂのホルダ部６６及びランプホルダ６５ａ，６５ｂに取付けることで、器具本体６１に支持されるとともに、各口金ピン６２ｂが各ソケット部６７に挿入される。
【００６８】
また、器具本体６１の下面には、リング状の突出部６８が設けられている。突出部６８の内部には空間６８ａが設けられており、この空間６８ａ内にはインバータ回路を有する点灯装置６９が収容されている。天井Ｔには、引掛シーリング７０が設けられており、点灯装置６９の電源入力側は、引掛シーリング７０に接続されるアダプタ７１と電気的に接続されている。また、点灯装置６９の出力側は、ソケット６４ａ，６４ｂと電気的に接続されている。器具本体６１は、アダプタ７１に取付けることで、アダプタ７１及び引掛シーリング７０を介して天井Ｔに支持されるとともに、このアダプタ７１と電気的に接続される。
【００６９】
セード６３は、透明或いは光拡散性を有する乳白色等であって透光性を有している。セード６３は、下に凸となるような断面円弧状に形成されている。セード６３の周縁には、内側に折れ曲がる取付け縁６３ａが設けられている。この取付け縁６３ａを器具本体６１の周部に引っ掛けることで、セード６３は器具本体６１に取付けられている。セード６３を器具本体６１に取付けることにより、環状蛍光ランプ６２、ソケット６４ａ，６４ｂ、及びランプホルダ６５ａ，６５ｂ等は、セード６３により下側から覆われる。
【００７０】
セード６３は、紫外線を吸収可能な樹脂により形成されている。具体的には、セード６３を形成する樹脂は、炭酸エステル類からなる第１の単量体と、紫外線吸収機能を有する第２の単量体とを含んでなる共重合体である。このような樹脂としては、ＧＥプラスチックス社製、レキサン（Ｌｅｘａｎ、登録商標）ＥＸＬ−ＳＬＸを用いることができる。ＥＸＬ−ＳＬＸの構造式は、第１の実施形態で示したとおりである。
【００７１】
上述のように、本実施形態の照明器具６０によれば、セード６３が紫外線を吸収可能な樹脂により形成されているため、紫外線による透過率の減少が抑制されるので、長時間にわたって良好な光束を得ることができる。また、セード６３の黄変を抑制できるので、長時間良好な外観を保たせることができる。さらに、セード６３は、劣化（黄変）し難いので、使用状況や使用年月等によってはマテリアルリサイクルが可能である。
【００７２】
本発明は、上記実施形態に限定されるものでなく、発明の趣旨を逸脱しない範囲でいろいろの形状や仕様に変形させることができる。
【図面の簡単な説明】
【００７３】
【図１】本発明の第１の実施形態に係る照明器具が備える電球形蛍光ランプを一部切り欠いて示す側面図。
【図２】図１の電球形蛍光ランプが備える発光管の構造を説明する展開図。
【図３】本発明の第１の実施形態に係る照明器具を一部切り欠いて示す側面図。
【図４】本発明の第２の実施形態に係る照明器具を一部切り欠いて示す側面図。
【図５】本発明の第３の実施形態に係る照明器具を示す分解斜視図。
【図６】図５の照明器具を示す断面図。
【符号の説明】
【００７４】
１…電球形蛍光ランプ、  ２…発光管、  ３…点灯回路、  ４…基体、  ４ａ…口金、  ４ｂ…ホルダ（保持部）、  ５…グローブ、  ３０…照明器具、  ３１…器具本体、  ４０，６０…照明器具、  ４１，６１…器具本体、  ４２，６２…蛍光ランプ、  ４３…カバー、  ６３…セード（カバー）
【図１】
2005174637.tif 000007
【図２】
2005174637.tif 000008
【図３】
2005174637.tif 000009
【図４】
2005174637.tif 000010
【図５】
2005174637.tif 000011
【図６】
2005174637.tif 000012